(57)【要約】【課題】導光体の輝度品位を向上できるバックライトを提供する。【解決手段】発光ダイオード１３ａの光源面を導光体２１の下端面２１ａに対向させて取り付ける。導光体２１は発光ダイオード１３ａからの光を表面２１ｂに向けて面状に屈折させて面状光源に変換する。発光ダイオード１３ａからの光が臨界角以上の角度で入射するように導光体２１の両側壁面２１ｄを傾斜させる。発光ダイオード１３ａから導光体２１の両側壁面２１ｄへと入射する光が全反射する。導光体２１の両側壁面２１ｄへと照射した光の屈折を防止できる。導光体２１の表面２１ｂからの光のエネルギ損失を防止できる。導光体２１の表面２１ｂ全体の輝度品位を向上できる。【選択図】        図１
2005011549.tif 000002
【特許請求の範囲】
【請求項１】
光源と、
この光源に一辺を対向させて配設されこの光源からの光を一主面に向けて面状に屈折させて面状光源に変換する略四角形板状の面状光源変換体とを具備し、
この面状光源変換体の前記光源に対向した一辺に隣り合う側辺は、前記光源から前記面状光源変換体の一辺を介して照射される光が臨界角以上の角度で入射する傾斜辺である
ことを特徴とした面光源装置。
【請求項２】
面状光源変換体の傾斜辺の傾斜角度は、少なくとも前記光源の指向性および前記面状光源変換体の屈折率に応じて設定されている
ことを特徴とした請求項１記載の面光源装置。
【請求項３】
光源から面状光源変換体へと垂直に入射する光の光軸から、この光源による光の照射可能範囲までの角度をａとし、
この光源から前記面状光源変換体へと垂直に入射する光の光軸と、この面状光源変換体の傾斜辺との角度をＸとし、
この面状光源変換体の傾斜辺への前記光源から角度ａで照射された光の入射角をｉとし、
前記面状光源変換体の光の屈折率をｎとした場合に、
Ｘ≧ｉ−９０＋ａおよびｉ＝ｓｉｎ−１（１／ｎ）の関係を有する
ことを特徴とした請求項１または２記載の面状光源装置。
【発明の詳細な説明】
【０００１】
【発明の属する技術分野】
本発明は、光源からの光を面状光源にする面光源装置に関する。
【０００２】
【従来の技術】
従来、この種の面光源装置としての補助光源であるバックライトは、透過型の液晶表示装置を構成する透過型の液晶パネルの表示画面エリアの裏面に取り付けられている。そして、このバックライトは、小型な面光源である光源としての発光ダイオード（Ｌｉｇｈｔ−Ｅｍｉｔｔｉｎｇ  Ｄｉｏｄｅ：ＬＥＤ）からの光を、矩形平板状の面状光源変換体である導光体により面状に屈折させて面状光源に変換させる。
【０００３】
特に、このバックライトが携帯電話などの用途に使用される場合には、発光ダイオードを使用する傾向にあり、この場合に使用される導光体は、矩形状の樹脂成形品である。そして、この導光体の表裏面は、液晶パネルの画面方向に向けて効率良く光を照射させるために様々な形状とされていたり、この導光体の表裏面には、この導光体へと入射した光を透過あるいは反射させる様々な光学シートが貼り付けられたりしている。
【０００４】
ここで、この導光体の一辺としての一端面である下端面の長手方向に沿って複数の発光ダイオードが配置されており、この発光ダイオードの個数は、所望する画面品位により決定されている。また、これら発光ダイオードからの光を導光体へと入射させるために、導光体の入光面である下端面に発光ダイオードを接触させたり、この導光体の下端部を肉薄して、この肉薄な位置に発光ダイオードを設置したりしている。
【０００５】
そして、これら発光ダイオードから導光体へと入射した光は、この導光体およびこの導光体の裏面に貼り付けられた反射シートを介して液晶パネルへと照射される。したがって、この導光体は、液晶パネルの画面サイズにあった各発光ダイオードからの光の面光源への変換を実現している。
【０００６】
さらに、この導光体の表面から照射される光は、この導光体の表面に取り付けられた光学シートを介して液晶パネルへと入射されて、この液晶パネルを備えた液晶表示装置を使用する使用者の目に入って視認されるばかりでなく、画面輝度むらなどの画面品位としても認識される（例えば、特許文献１参照。）。
【０００７】
しかしながら、一般に、発光ダイオードを用いたバックライトの場合には、使用される液晶パネルの画面サイズにあった面光源へと各発光ダイオードからの光を変換するための導光体、反射シートあるいは各種の光学シートを経て、液晶パネルを介して使用者に光が認識される。この際には、導光体へと光が入射するときや、この導光体の内部を光が伝播するときなどに、各種光学シートおよび液晶パネルなどによる光の吸収や拡散などを経る。このため、これら発光ダイオードから供給されるエネルギの大部分を損失した状態、すなわち画面品位が低下した状態となり、画面輝度むらなどの観点から所望した画面品位を達成できなくなる場合がある。
【０００８】
また、一般に、画面品位を確保するために消費電力を犠牲にして発光ダイオードの個数を増やしたり、消費電力を低く抑制してコストの軽減を図るために、これら発光ダイオードの個数を減らしたりして画面品位を犠牲にする場合がある。
【０００９】
さらに、これら発光ダイオードから導光体へと入射した光は、指向性が強く、これら各発光ダイオードから導光体の下端面に対して垂直に入射する光の光軸に平行な光源面の法線方向を基準とした左右および上下方向に向けて角度ａ以上傾斜した方向では、これら各発光ダイオードから照射される光のエネルギが急速に減少して、これら発光ダイオードによる光の有効照射可能範囲以外となる。特に、これら発光ダイオードからの光が導光体に入射した後に放射状に伝播し、この導光体の各発光ダイオードに対向した下端面に隣り合う両側辺である両側面に到達した場合には、この導光体の両側面の界面において、この導光体の内部層から外部の空気層へと屈折光として拡散する光と反射光として導光体の内部へと戻る光とによって、光が吸収されて光のエネルギ損失が発生してしまい、画面輝度むらなどの画面品位の一つとなっている。
【００１０】
このため、この画面品位を改善する方法として様々な手法が提案されている。代表的な例としては、導光体を囲って支持するホルダケースに高反射特性を有する樹脂を用いることが知られている。しかしながら、この手法を用いた場合には、導光体の外部へと照射された屈折光を、この導光体の内部へと戻すことができるが、この屈折光がホルダケースの表面にて反射されて導光体の側面を透過するため、従来損失していた屈折光のエネルギの少量を取り戻せるに過ぎないから、表示画面エリアの画面品位向上には不十分である。
【００１１】
またさらに、導光体とホルダとの隙間に高反射シートを設けたり、導光体の側面に高反射シートを貼り付けたりする方法も知られている。この手法では、画面品位向上に大きく寄与する結果を得ることができるが、反射シートの表面あるいは裏面と導光体の側面とのそれぞれに粘着材が塗布される面が存在するため、この手法でもまた表示画面エリアの画面品位向上には不十分である。
【００１２】
【特許文献１】
特開２００２−２８７１４４号公報（第３−４頁、および図３ないし図５）
【００１３】
【発明が解決しようとする課題】
上述したように、各発光ダイオードから導光体へと入射した光は、指向性が強く、これら発光ダイオードの光源面の法線方向から左右および上下方向に向けて角度ａ以上傾斜した方向では、これら各発光ダイオードから供給される光のエネルギが大幅に減少する。そもそも、画面品位劣化の原因は、各発光ダイオードの光源面法線方向から左右および上下方向に向けて角度ａ程傾斜した方向に照射された光が導光体の下端面に入射する際に、この角度ａの方向へと照射されて導光体へと入射される光の入射角が全反射をとる臨界角とならない。このため、この角度ａの方向へと照射された光が導光体の外部へと照射された際に屈折光となって、この導光体から液晶パネルへと照射される光のエネルギ損失を生じさせて、画面品位劣化要因の一つとなっている。
【００１４】
したがって、この画面品位劣化要因の一つを解決するためには、特に、各発光ダイオードから角度ａの方向へとの照射される光による導光体の側面への入射角や、導光体の材質を最適化することが求められる。そして、従来のように、導光体を矩形平板状、すなわち導光体の左右の側面を各発光ダイオードの光源面の法線方向に対して平行にした場合には、必然的に導光体の材料によって臨界角が変わり、この導光体の側面へと照射される光が全反射とならないため、この導光体の側面への屈折光が外部へと拡散されてしまう。このため、この導光体からの光のエネルギを損失させて、液晶パネルの表示画面エリアにおける画面品位を低下させる一つの要因となってしまい、導光体の表面全体の輝度品位の向上が容易ではないという問題を有している。
【００１５】
本発明は、このような点に鑑みなされたもので、面状光源変換体の輝度品位を向上できる面光源装置を提供することを目的とする。
【００１６】
【課題を解決するための手段】
本発明は、光源と、この光源に一辺を対向させて配設されこの光源からの光を一主面に向けて面状に屈折させて面状光源に変換する略四角形板状の面状光源変換体とを具備し、この面状光源変換体の前記光源に対向した一辺に隣り合う側辺は、前記光源から前記面状光源変換体の一端部を介して照射される光が臨界角以上の角度で入射する傾斜辺であるものである。
【００１７】
そして、面状光源変換体の光源に対向した一辺に隣り合う側辺を、面状光源変換体の一辺を介して光源から照射される光が臨界角以上の角度で入射する傾斜辺としたことにより、光源から面状光源変換体の側辺へと入射する光の入射角が全反射をとる臨界角となる。このため、この面状光源変換体の側辺へと照射された光の屈折が防止されるので、この面状光源変換体の一主面から照射される光のエネルギ損失を防止できるとともに、この面状光源変換体の一主面全体の輝度品位が向上する。
【００１８】
【発明の実施の形態】
以下、本発明の面光源装置を備えた液晶表示装置の一実施の形態の構成を図１ないし図４を参照して説明する。
【００１９】
図１ないし図４において、１は透過型の液晶表示装置で、この液晶表示装置１は、携帯電話などに用いられる、例えば２型などの薄膜トランジスタ（Ｔｈｉｎ  Ｆｉｌｍ  Ｔｒａｎｓｉｓｔｏｒ：ＴＦＴ）型である透過型の液晶パネル２を備えている。この液晶パネル２は、図示しない薄膜トランジスタが一主面である表面にマトリクス状に設けられた矩形平板状のアレイ基板３と対向基板４とを対向させて配設し、これらアレイ基板３と対向基板４との間に図示しない液晶が介挿されて構成されている。
【００２０】
一方、液晶パネル２の中央に形成された表示領域としての表示画面エリア５の裏面側には、この液晶パネル２の表示画面エリア５へと光を照射させて透過させる補助光源としての面光源装置であるバックライト１１の表面を対向させた状態で配設されている。このバックライト１１は、一側面に形成された光源面１２から面状の光を発光させる小型面光源としての白色発光の直方体状の発光ダイオード（Ｌｉｇｈｔ  Ｅｍｉｔｔｉｎｇ  Ｄｉｏｄｅ：ＬＥＤ）１３ａ，１３ｂ，１３ｃを複数、例えば３個備えている。
【００２１】
そして、これら発光ダイオード１３ａ，１３ｂ，１３ｃは、それぞれに電気エネルギを供給して駆動させて発光させるフレキシブルなプリント配線基板（Ｆｌｅｘｉｂｌｅ  Ｐｒｉｎｔ  Ｃｉｒｃｕｉｔ：ＦＰＣ）である発光用基板１４の表面に取り付けられている。この発光用基板１４は、表面に各発光ダイオード１３ａ，１３ｂ，１３ｃが実装される細長矩形平板状の本体部１４ａを備えている。そして、この本体部１４ａの一側部における一端側には、この本体部１４ａから面一に突出し、この本体部１４ａの表面に実装された各発光ダイオード１３ａ，１３ｂ，１３ｃへと供給される電気エネルギを導通させる細長矩形平板状の接続片部１４ｂの長手方向における一端部が一体的に接続されて、略Ｌ字状とされている。
【００２２】
ここで、これら各発光ダイオード１３ａ，１３ｂ，１３ｃは、発光用基板１４の本体部１４ａの表面に、この本体部１４ａの長手方向に沿って等間隔に離間された状態で取り付けられている。さらに、これら各発光ダイオード１３ａ，１３ｂ，１３ｃは、これら各発光ダイオード１３ａ，１３ｂ，１３ｃの一側面のそれぞれが光源面１２とされており、これら各発光ダイオード１３ａ，１３ｂ，１３ｃの光源面１２のそれぞれを発光用基板１４の本体部１４ａの幅方向に沿わせた状態で、この本体部１４ａの表面に実装されている。
【００２３】
そして、これら発光ダイオード１３ａ，１３ｂ，１３ｃのそれぞれに長手方向における一辺である入光面としての下端面２１ａを対向させた状態で面状光源変換体としての略矩形平板状の導光体２１が配設されている。この導光体２１は、各発光ダイオード１３ａ，１３ｂ，１３ｃからの面状の光が下端面２１ａから入光されて、この面状の光を一主面である表面２１ｂに向けて面状に屈折させて面状光源に変換させる役割を有する。この導光体２１の裏面２１ｃには、光学シートである矩形シート状の反射シート２２が貼り付けられて取り付けられている。
【００２４】
ここで、この導光体２１は、ポリカーボネイト、アクリル、あるいはシクロオレフィンポリマなどの耐熱透明樹脂にて成形された樹脂成形材である。さらに、この導光体２１の表面２１ｂには、複数、例えば３枚の矩形シート状の種々のシート類である光学シート２３が互いに重ね合わされた状態で貼り付けられて取り付けられている。
【００２５】
また、この導光体２１の下端面２１ａが位置する下端部には、発光用基板１４の表面に実装された各発光ダイオード１３ａ，１３ｂ，１３ｃの光源面１２のそれぞれを導光体２１の下端面２１ａに対して平行に対向させた状態で、発光用基板１４が取り付けられている。ここで、この発光用基板１４の表面に実装された各発光ダイオード１３ａ，１３ｂ，１３ｃのそれぞれは、導光体２１の下端面２１ａを長手方向に沿って、これら発光ダイオード１３ａ，１３ｂ，１３ｃの個数分、すなわち３分割した箇所のそれぞれの中央部に取り付けられている。
【００２６】
そして、この導光体２１の下端部に発光用基板１４が取り付けられ、表面２１ｂに各光学シート２３が貼り合わされ、さらに裏面２１ｃに反射シート２２が貼り合わされて構成されてバックライト１１が構成されている。この状態で、このバックライト１１を構成する導光体２１の幅方向における両側辺としての傾斜辺である側壁面２１ｄ，２１ｅは、この導光体２１の下端側から上端側に向けて幅寸法が徐々に大きくなるように傾斜している。なお、これら側壁面２１ｄ，２１ｅは、導光体２１における各発光ダイオード１３ａ，１３ｂ，１３ｃの光源面１２に対向した下端面２１ａに隣り合っている。
【００２７】
さらに、この導光体２１の両側壁面２１ｄ，２１ｅと、各発光ダイオード１３ａ，１３ｂ，１３ｃの光源面１２の法線方向とによって形成される、この導光体２１の両側壁面２１ｄ，２１ｅの傾斜角度Ｘは、これら各発光ダイオード１３ａ，１３ｂ，１３ｃの指向性、および、導光体２１の材料に起因した光の屈折率に応じて変化させられて設定されている。
【００２８】
すなわち、この導光体２１の両側壁面２１ｄ，２１ｅの傾斜角度Ｘは、この導光体２１の材料、各発光ダイオード１３ａ，１３ｂ，１３ｃの指向性に応じて、これら各発光ダイオード１３ａ，１３ｂ，１３ｃから発するエネルギの供給量の多い光が、導光体２１の下端面２１ａを介してこの導光体２１の両側壁面２１ｄ，２１ｅへと入射する光が全反射をとる臨界角以上の角度で入射するように設定されている。
【００２９】
より具体的に、この導光体２１の両側壁面２１ｄ，２１ｅは、各発光ダイオード１３ａ，１３ｂ，１３ｃの光源面１２から供給される光のエネルギの供給量が多いとされている有効領域、すなわち、これら各発光ダイオード１３ａ，１３ｂ，１３ｃの光源面１２の法線方向を基準にこれら発光ダイオード１３ａ，１３ｂ，１３ｃの長手方向に向けて傾斜させた角度ａまでの領域において、これら各発光ダイオード１３ａ，１３ｂ，１３ｃの光源面１２の法線方向に対して角度ａの方向に向けて照射された光による導光体２１の近接したいずれか一方の側壁面２１ｄ，２１ｅへの入射角度をｉとした場合に、Ｘ≧９０−ａ−ｉおよびｉ＝ｓｉｎ−１（１／ｎ）の関係を満たすように構成されている。なお、ｎは、導光体２１の材料に起因した、この導光体２１による光の屈折率である。
【００３０】
言い換えると、角度ａは、各発光ダイオード１３ａ，１３ｂ，１３ｃの光源面１２から導光体２１の下端面２１ａへと垂直に入射する光の光軸から、これら各発光ダイオード１３ａ，１３ｂ，１３ｃによる光の有効照射可能範囲までの角度である。また、角度Ｘは、これら各発光ダイオード１３ａ，１３ｂ，１３ｃの光源面１２から導光体２１の下端面２１ａへと垂直に入射する光の光軸と、この光の光軸に近接した導光体２１のいずれか一方の側壁面２１ｄ，２１ｅとによって形成される角度である。さらに、角度ｉは、この導光体２１の両側壁面２１ｄ，２１ｅへの各発光ダイオード１３ａ，１３ｂ，１３ｃから角度ａで照射された光の入射角度である。
【００３１】
そして、バックライト１１は、各光学シート２３を介して導光体２１の表面２１ｂを液晶パネル２の表示画面エリア５の裏面側に対向させた状態で、この液晶パネル２の表示画面エリア５の裏面側に取り付けられている。この状態で、これら液晶パネル２およびバックライト１１は、矩形枠状のホルダケース３１内に収容されてモジュール化されて液晶表示装置１とされている。
【００３２】
次に、上記第１の実施の形態の作用を説明する。
【００３３】
まず、発光用基板１４から各発光ダイオード１３ａ，１３ｂ，１３ｃへと電気エネルギを供給して、これら各発光ダイオード１３ａ，１３ｂ，１３ｃのそれぞれを発光させる。
【００３４】
すると、これら各発光ダイオード１３ａ，１３ｂ，１３ｃの光源面１２から発光した面状の光は、導光体２１の下端面２１ａへと入射する。
【００３５】
そして、この導光体２１の下端面２１ａへと入射した光は、この導光体２１の裏面２１ｃに貼り付けられた反射シート２２によって表面側に向けて面状に変換されて、液晶パネル２の表示画面エリア５の裏面へと照射される。
【００３６】
またこのとき、各発光ダイオード１３ａ，１３ｂ，１３ｃの光源面１２から照射されて導光体２１の下端面２１ａから入射されて、この導光体２１の内部から、この導光体２１の両側壁面２１ｄ，２１ｅへと入射した光は、これら両側壁面２１ｄ，２１ｅに形成した傾斜角度Ｘによって臨界角以上の角度で入射して、これら両側壁面２１ｄ，２１ｅにより全反射される。
【００３７】
さらに、この液晶パネル２の表示画面エリア５の裏面側へと照射した光は、この液晶パネル２の表示画面エリア５を透過して使用者の目に入り、この液晶パネル２の表示画面エリア５にて表示される画像が使用者に視認される。
【００３８】
上述したように、上記一実施の形態によれば、バックライト１１の各発光ダイオード１３ａ，１３ｂ，１３ｃの光源面１２から発光して導光体２１の下端面２１ａへと入射した光のうち、これら各発光ダイオード１３ａ，１３ｂ，１３ｃの光源面１２の法線方向を基準として左右および上下方向に向けて角度ａ程傾斜した方向へと照射される光は、これら発光ダイオード１３ａ，１３ｂ，１３ｃの光源面１２の法線方向と導光体２１の両側面とが平行である場合であっては、この導光体２１の材料や各発光ダイオード１３ａ，１３ｂ，１３ｃの指向性によって、エネルギ供給量の多い光が導光体２１の両側面へと臨界角よりも小さい角度で入射しまう。
【００３９】
すなわち、これら発光ダイオード１３ａ，１３ｂ，１３ｃからの光が導光体２１に入射した後に放射状に伝播し、この導光体２１の両側面に到達した場合には、この導光体２１の両壁面の界面において、この導光体２１の内部層から外部の空気層へと屈折光として拡散する光と、反射光として導光体の内部へと戻る光とによって、これら導光体２１の両側面へと入射する光のエネルギ損失が大きくなってしまい、この導光体２１の表面２１ｂから照射される面状の光を液晶パネル２へと透過させた際に、この液晶パネル２の表示画面エリア５に画面輝度むらなどが生じてしまうおそれがあるので、この液晶パネル２の表示画面エリア５の画面品位が劣化してしまう。
【００４０】
そこで、材料がアクリルで光の屈折率が１．４９である導光体２１と、図３に示す指向性を有する発光ダイオード１３ａ，１３ｂ，１３ｃを用いた場合には、この図３に示すように、外気温が２５℃であり、これら各発光ダイオードへの入力電流（ＩＦ）を２０ｍＡとし、これら各発光ダイオード１３ａ，１３ｂ，１３ｃから照射される光のエネルギ供給量が多い有効領域を、これら各発光ダイオード１３ａ，１３ｂ，１３ｃの光源面１２の法線方向に対して左右および上下方向に５０°まで傾斜させた領域として、この導光体２１の両側壁面２１ｄ，２１ｅへと入射する入射角が全反射をとる臨界角以上となるように設定した。
【００４１】
具体的には、この導光体２１の両側壁面２１ｄ，２１ｅを下端側から上端側に向けて傾斜させた台形形状とし、これら両側壁面２１ｄ，２１ｅによる各発光ダイオード１３ａ，１３ｂ，１３ｃの光源面１２の法線方向に対する傾斜角度を２．２°とした。この結果、各発光ダイオードへの入力電流（ＩＦ）を１７ｍＡとした場合には、図４に示すように、各発光ダイオード１３ａ，１３ｂ，１３ｃの光源面１２の法線方向に対して導光体２１の両側面２１ｆ，２１ｇが平行である図５に示す比較例となる従来のバックライト１１に比べて、導光体２１の表面２１ｂの画面輝度が８％向上するとともに、この導光体２１の表面２１ｂの画面輝度むらが４％上昇した。
【００４２】
したがって、導光体２１の材料あるいは各発光ダイオード１３ａ，１３ｂ，１３ｃの指向性に応じて、これら各発光ダイオード１３ａ，１３ｂ，１３ｃから発するエネルギの供給量の多い光が導光体２１の両側壁面２１ｄ，２１ｅへと臨界角以上の角度で入射するように、導光体２１の両側壁面２１ｄ，２１ｅの傾斜角度Ｘを設定する。
【００４３】
より具体的には、各発光ダイオード１３ａ，１３ｂ，１３ｃの光源面１２から供給される光のエネルギの供給量が多いとされている領域、すなわち、これら各発光ダイオード１３ａ，１３ｂ，１３ｃの光源面１２の法線方向を基準にこれら発光ダイオード１３ａ，１３ｂ，１３ｃの長手方向に向けて傾斜させた角度ａまでの領域において、これら各発光ダイオード１３ａ，１３ｂ，１３ｃの光源面１２の法線方向に対して角度ａの方向に向けて照射された光による導光体２１の近接したいずれか一方の側壁面２１ｄ，２１ｅへの入射角度をｉとし、導光体２１による光の屈折率をｎとした場合に、Ｘ≧９０−ａ−ｉおよびｉ＝ｓｉｎ−１（１／ｎ）の関係を満たすように、導光体２１の両側壁面２１ｄ，２１ｅの傾斜角度Ｘを設定する。
【００４４】
この結果、各発光ダイオード１３ａ，１３ｂ，１３ｃの光源面１２からエネルギ供給量の多い光が、この導光体２１の両側壁面２１ｄ，２１ｅへと全反射をとる臨界角以上の角度で入射することとなる。このため、この導光体２１の両側壁面２１ｄ，２１ｅへと照射する光の屈折を防止できるので、この導光体２１の表面２１ｂから面状に照射される光のエネルギ損失を防止できるとともに、この導光体２１の表面２１ｂ全体の輝度品位を向上できる。したがって、この導光体２１の表面２１ｂから照射される面状の光を液晶パネル２へと透過させた際に、この液晶パネル２の表示画面エリア５に画面輝度むらなどが生じにくくなるので、この液晶パネル２の表示画面エリア５の画面品位を向上できる。
【００４５】
なお、上記一実施の形態では、液晶パネル２の表示画面エリア５の裏面に導光体２１を配設し、この導光体２１の表面２１ｂからの面状の光をこの液晶パネル２の表示画面エリア５の裏面側から透過させる透過型の液晶表示装置１について説明したが、導光体２１の表面２１ｂからの面状の光をこの液晶パネル２の表示画面エリア５の裏面側からある程度の割合で透過させる半透過型の液晶表示装置１であってもよく、さらには、液晶パネル２の表示画面エリア５の表面に導光体２１を配設し、この導光体２１の裏面２１ｃから面状の光を照射させて、この面状の光を液晶パネル２の表示画面エリア５の表面に照射させて反射させるフロントライトを備えた反射型の液晶表示装置１であっても、上記一実施の形態と同様の作用効果を奏することができる。
【００４６】
さらに、導光体２１の下端面２１ａに対向させて発光ダイオード１３ａ，１３ｂ，１３ｃを３つほど配置したが、この導光体２１の下端面２１ａに対向させて設置される発光ダイオード１３ａ，１３ｂ，１３ｃは少なくとも１つ以上であればよい。
【００４７】
【発明の効果】
本発明によれば、面状光源変換体の側辺を、光源から面状光源変換体の一辺を介して照射される光が臨界角以上の角度で入射する傾斜辺としたことにより、光源から面状光源変換体の側辺へと入射する光が全反射され、この面状光源変換体の側辺へと照射された光の屈折を防止できるので、この面状光源変換体の一主面から照射される光のエネルギ損失を防止できるとともに、この面状光源変換体の一主面全体の輝度品位を向上できる。
【図面の簡単な説明】
【図１】本発明の面光源装置の一実施の形態の一部を示す説明図である。
【図２】同上面光源装置を備えた液晶表示装置を示す分解斜視図である。
【図３】同上面光源装置の光源として用いられる発光ダイオードの指向性を示すグラフである。
【図４】同上面光源装置の線状光源変換体の一主面の輝度を示す説明図である。
【図５】比較例の面光源装置の線状光源変換体の一主面の輝度を示す説明図である。
【符号の説明】
１１    面光源装置としてのバックライト
１３ａ，１３ｂ，１３ｃ    光源としての発光ダイオード
２１    面状光源変換体としての導光体
２１ｄ，２１ｅ    傾斜辺としての側壁面
【図１】
2005011549.tif 000003
【図２】
2005011549.tif 000004
【図３】
2005011549.tif 000005
【図４】
2005011549.tif 000006
【図５】
2005011549.tif 000007